(57)【要約】【課題】短縮状態での操作性に優れ、消費電力の小さく、しかも、ディスプレイに傷が付きにくく、表示される情報の視認性が高いスライド式携帯端末を提供する。【解決手段】二つの筐体が摺動によって伸縮可能に連結されたスライド式携帯端末であって、キー操作部２３を備えた筐体が前、大型液晶表示部３１及び小型液晶表示部４１を備えた筐体が後となるように連結され、小型液晶表示部４１は、筐体の端部近傍に配置されており、短縮状態においては、大型液晶表示部３１はキー操作部２３を備えた筐体の背面に隠蔽され、小型液晶表示部４１のみが露出する。【選択図】図１
2008061185.tif 000002
【特許請求の範囲】
【請求項１】
二つの筐体が摺動により伸縮可能に連結されたスライド式携帯端末であって、
操作部を備えた筐体が前、大型表示部及び小型表示部を備えた筐体が後となるように連結され、
前記小型表示部は、筐体の端部近傍に配置されており、
短縮状態においては、前記大型表示部は前記操作部を備えた筐体の背面に隠蔽され、前記小型表示部のみが露出することを特徴とするスライド式携帯端末。
【請求項２】
電池残量を前記小型表示部に表示することを特徴とする請求項１記載のスライド式携帯端末。
【請求項３】
時刻を前記小型表示部に表示することを特徴とする請求項１又は２記載のスライド式携帯端末。
【請求項４】
無線通信機能を備え、前記小型表示部に電波状況を表示することを特徴とする請求項１から３のいずれか１項記載のスライド式携帯端末。
【請求項５】
電子メールの送受信機能を備え、前記小型表示部に新着メールの有無を表示することを特徴とする請求項４記載のスライド式携帯端末。
【請求項６】
定期的又は不定期に更新されうる情報の最新版をＲＳＳ（Rich Site Summary）を用いて取得し、取得した情報をより前記小型表示部に表示することを特徴とする請求項４又は５記載のスライド式携帯端末。
【請求項７】
前記小型表示部での情報の表示／非表示を切り換える手段を備えることを特徴とする請求項１から７のいずれか１項記載のスライド式携帯端末。
【請求項８】
前記小型表示部にメニュー画面を表示し、該メニュー画面において前記操作部を用いて選択された機能を実行することを特徴とする請求項１から７のいずれか１項記載のスライド式携帯端末。
【請求項９】
前記小型表示部は前記大型画像表示部よりも消費電力が小さいことを特徴とする請求項１から８のいずれか１項記載のスライド式携帯端末。
【請求項１０】
前記大型表示部はカラー表示画像表示手段であり、前記小型表示部はモノクロ画像表示手段であることを特徴とする請求項９記載のスライド式携帯端末。
【発明の詳細な説明】
【技術分野】
【０００１】
本発明は、表示部を備えた筐体と操作部を備えた筐体とが摺動可能に連結されたスライド式の携帯端末に関し、特に、短縮状態での操作性に優れ、消費電力の小さいスライド式携帯端末に関する。
【背景技術】
【０００２】
近年、ストレート型や折り畳み型などの様々な形態の携帯電話機が市場に出回っている。その中には、表示部を備えた筐体と操作部を備えた筐体とが摺動可能に連結された“スライド式”と呼ばれるものがある。
【０００３】
従来のスライド式携帯端末は、図１に示すように、唯一の表示部１１を常時外部に露出した状態で備える。また、端末を縮めた状態では、キー操作部２１は露出しているものの、キー操作部２２は外部に露出していない。すなわち、従来のスライド式携帯端末は、短縮状態ではキー操作部の一部のみが露出している。
【０００４】
このような構成では、表示部が常に露出した状態であるため、表示部が簡単に傷ついてしまう。しかも、表示部が唯一であることから、時刻や着信の有無などを確認しようとするだけでも表示部全体を駆動する必要があり、電池の消費が激しくなってしまう。
【０００５】
さらに、短縮状態ではキー操作部２２が露出していないため、全てのキーが露出している伸長状態と比較すると、操作性に劣ることとなってしまう。
【０００６】
スライド式携帯端末に関する従来技術としては、特許文献１に開示される「スライド伸縮式携帯電話」、特許文献２に開示される「携帯電話機」、特許文献３に開示される「携帯式通信機」がある。
【０００７】
特許文献１や特許文献２に開示される発明は、キー操作部が常時露出しているため、短縮状態にあっても操作性が劣ることはない。
【０００８】
特許文献３に開示される発明は、大小二つのディスプレイを備え、これらを独立して駆動することにより、消費電力の低減を図っている。
【特許文献１】特開２００３−３０９６３１号公報
【特許文献２】特開２００１−２４７６２号公報
【特許文献３】特開２００３−１１０６７０号公報
【発明の開示】
【発明が解決しようとする課題】
【０００９】
しかし、特許文献１や特許文献２に開示される発明は、短縮状態において表示部の一部が隠れるものの、一部は露出したままとなる。よって、常時露出する部分には傷が入りやすくなるため、経時的には短縮状態で隠れる部分と露出する部分とでは同じ色が異なって見えてしまうこととなる。
しかも、筐体の背後に隠されていても表示部全体を駆動していることには変わりはないため、電力消費量は伸長状態と何ら変わらない。
【００１０】
また、特許文献３に開示される発明は、大小のディスプレイが共に常時露出する構成であるため、従来のスライド式携帯端末と同様に表示部に傷が付きやすい。
しかも、小ディスプレイは端末を伸長したときに大ディスプレイよりも端末の中央側に位置するように配置されているため、操作に際に小ディスプレイがユーザの手によって隠蔽されやすく、情報の視認性が高くはない。
また、単に小ディスプレイにおいて情報を表示するのみであり、これを用いた端末の操作に関しては何ら開示されていない。
【００１１】
このように、従来のスライド式携帯端末は、ディスプレイに傷が付きやすく、サブディスプレイに表示される情報の視認性に劣るという問題があった。
【００１２】
本発明はかかる問題に鑑みてなされたものであり、短縮状態での操作性に優れ、消費電力の小さく、しかも、ディスプレイに傷が付きにくく、表示される情報の視認性が高いスライド式携帯端末を提供することを目的とする。
【課題を解決するための手段】
【００１３】
本発明は、上記目的を達成するために、二つの筐体が摺動により伸縮可能に連結されたスライド式携帯端末であって、操作部を備えた筐体が前、大型表示部及び小型表示部を備えた筐体が後となるように連結され、小型表示部は、筐体の端部近傍に配置されており、短縮状態においては、大型表示部は操作部を備えた筐体の背面に隠蔽され、小型表示部のみが露出することを特徴とするスライド式携帯端末を提供するものである。
【００１４】
本発明においては、電池残量を小型表示部に表示することが好ましい。また、時刻を小型表示部に表示することが好ましい。
【００１５】
また、本発明の上記のいずれの構成においても、無線通信機能を備え、小型表示部に電波状況を表示することが好ましく、これに加えて、電子メールの送受信機能を備え、小型表示部に新着メールの有無を表示することがより好ましい。いずれの場合も、定期的又は不定期に更新されうる情報の最新版をＲＳＳ（Rich Site Summary）を用いて取得し、取得した情報をより小型表示部に表示することがより好ましい。
【００１６】
本発明の上記のいずれの構成においても、小型表示部での情報の表示／非表示を切り換える手段を備えることが好ましい。また、小型表示部にメニュー画面を表示し、該メニュー画面において操作部を用いて選択された機能を実行することが好ましい。また、小型表示部は大型画像表示部よりも消費電力が小さいことが好ましく、これに加えて、大型表示部はカラー表示画像表示手段であり、小型表示部はモノクロ画像表示手段であることが好ましい。
【発明の効果】
【００１７】
本発明によれば、短縮状態での操作性に優れ、消費電力の小さく、しかも、ディスプレイに傷が付きにくく、表示される情報の視認性が高いスライド式携帯端末を提供できる。
【発明を実施するための最良の形態】
【００１８】
〔発明の要旨〕
本発明にかかるスライド式携帯端末は、短縮状態では外部に露出しない大きいサイズの液晶表示部と、短縮状態でも外部に露出する小さいサイズの液晶表示部とを備える。また、短縮状態でもキー操作部が全て外部に露出する。これにより、大きいサイズの液晶表示部を使用していない時に傷が付くことが抑えられる。また、時刻や着信履歴などユーザが手軽に利用したい項目については小さいサイズの液晶表示部に表示させるようにすることで、消費電力を低減できる。
【００１９】
小さいサイズの液晶表示部は、常に露出することとなるが、従来のスライド式端末とは異なる位置に設置することにより、傷の原因となる他の物体と接触する機会を低減している。
【００２０】
操作部は、常に外部に露出していることから、端末が短縮状態にあっても操作性が損なわれることはない。よって、小さいサイズの液晶表示部を用いてさまざま機能を実現できる。
【００２１】
以下、本発明の好適な実施の形態について説明する。
【００２２】
図２に、本実施形態にかかる携帯端末の構成を示す。（ａ）は伸長状態、（ｂ）は短縮状態を示す。この携帯端末は大型液晶表示部３１、小型液晶表示部４１、及びキー操作部２３を有する。
図３（ａ）、（ｂ）に示すように、大型液晶表示部３１及び小型液晶表示部４１が搭載された側の筐体が、キー操作部２３が搭載された側の筐体の下側となるように配置される。大型液晶表示部３１は、図４に示すように端末を短縮状態とした際には、上側筐体の背後に隠される。小型液晶表示装置４１及びキー操作部２３は、端末を短縮状態としても露出したままである。
【００２３】
小型液晶表示部４１の表現力や実現可能な機能（画像表示など）を大型液晶表示部３１よりも抑えてもよいのであれば、電池消費への影響を考えカラー液晶ではなくモノクロ液晶とすることも可能である。これにより、デバイスの原価低減も図れる。
【００２４】
なお、図５（ａ）、（ｂ）に示すように、小型液晶表示部４１を取り囲むように凸部４２を設けることで、小型液晶表示部４１が異物と接触しにくくなり、傷が付きにくくなる。なお、凸部４２は小型液晶表示部４１を完全に取り囲んでいなくても良いし、断続的に設けても構わない。例えば、小型液晶表示部４１の両脇にのみ凸部４２を設けても良いし、小型液晶表示部４１の四隅近傍に凸部４２を個別に設けても良い。
逆に、小型液晶表示部４１の部分が凹となるようにしてもよい。つまり、小型液晶表示部４１の周縁部が小型液晶表示部４１と比べて相対的に突出するようにすれば、同様の効果が得られる。
【００２５】
制御系（ＣＰＵやＲＯＭなど）や通信系（アンテナや無線回路など）としては、公知の携帯電話端末と同様の構成を適用可能であるため、説明は省略する。
【００２６】
図６に、小型液晶表示部４１における情報表示例を示す。携帯端末を短縮させた状態において、ユーザは、端末を伸長することなく時刻や電池残量、新着メールの有無やそのタイトル、電波状況などを確認できる（図６（ａ））。これにより、わざわざ大型液晶表示部３１に情報を表示させる必要がないため、情報表示のための電気使用量は従来の携帯端末よりも少なくて済む。また、情報表示のために携帯端末を伸長状態とする必要もない。
【００２７】
また、小型液晶表示部４１用の簡易メニュー画面を設け、端末短縮状態においても各種機能を起動できるようにすることも可能である（図６（ｂ））。
具体的には、ユーザは、メール送受信機能を選択した状態で起動操作を行うことにより、図６（ｃ）に示すようにメール内容の閲覧したり、メール本文を作成したりできる。また、音楽データ再生機能を選択した状態で起動操作を行うことにより、図６（ｄ）に示すように、音楽再生情報を表示させることもできる。さらに、スケジュール管理機能を選択した状態で起動操作を行うことにより、図６（ｅ）に示すように、スケジュールの確認できる。さらに、スケジュール画面上で日にちを指定することで、スケジュールを編集できる（図６（ｆ））。
【００２８】
携帯端末が伸長状態にある場合は、小型液晶表示部４１に時計や電池残量、電波状況などを表示させてユーザが確認可能な状態としておくことで、これらの情報を大型液晶表示部３１に重複して表示させる必要が無くなる。よって、大型液晶表示部３１には、各種アプリケーション操作画面や情報確認画面のみを表示でき、ユーザにとって視認性が高くなる。
【００２９】
また、ＲＳＳ（Rich Site Summary）などの利用して、図７に示すように小型液晶表示部４１にニュースなどの時々刻々と移り変わる情報を常時表示させることで、大型液晶表示部４１にどのような情報を表示させていても、ユーザは常に最新の情報を小型液晶表示部４１にて確認できる。これにより、ユーザの利便性が向上する。
【００３０】
ただし、小型液晶表示部４１及び大型液晶表示部３１の両方を同時に駆動することは、消費電力の増大につながるため、小型液晶表示部４１での情報の表示／非表示は、ユーザの操作によって選択可能とすることが好ましい。
【００３１】
このように、本実施形態にかかるスライド式携帯端末は、短縮状態では大型液晶表示部に傷を付けることなく携帯したり、利用したりできる。
また、大型液晶表示部と小型液晶表示部とを併せ持つことで、時刻などの小型液晶表示部にて表示可能な情報を短縮状態であっても確認できる。
さらに、短縮状態で小型液晶表示部が使用可能であるため、大型液晶表示部の使用頻度が低くなり、電力消費を低減できる。
【００３２】
なお、上記実施形態は本発明の好適な実施の一例であり、本発明はこれに限定されることはない。
例えば、上記実施形態においては、表示部がＬＣＤである場合を例としたが、有機ＥＬを用いた表示装置などを用いても良い。
このように本発明は様々な変形が可能である。
【図面の簡単な説明】
【００３３】
【図１】本発明の好適な実施の形態にかかる携帯電話端末の構成を示す図である。
【図２】本発明の好適な実施の形態にかかる携帯電話端末の伸長状態・短縮状態を示す図である。
【図３】本発明の好適な実施の形態にかかる携帯電話端末の伸長状態を示す図である。
【図４】本発明の好適な実施の形態にかかる携帯電話端末の短縮状態を示す図である。
【図５】小型液晶表示部の周囲に凸部を形成した構成の携帯電話端末を示す図である。
【図６】小型液晶表示部における情報の表示例を示す図である。
【図７】刻々と変化しうる情報を小型液晶表示部に表示させた状態を示す図である。
【符号の説明】
【００３４】
１１    表示部
２１、３３    キー操作部
３１    大型液晶表示部
４１    小型液晶表示部
４２    凸部
【図１】
2008061185.tif 000003
【図２】
2008061185.tif 000004
【図３】
2008061185.tif 000005
【図４】
2008061185.tif 000006
【図５】
2008061185.tif 000007
【図６】
2008061185.tif 000008
【図７】
2008061185.tif 000009